(57)【要約】【課題】洋室としてのリビング・ダイニング室と、洋室としての中洋室とが床方向に連続して設けられているマンションタイプの集合住宅の採光構造において、居室としての中洋室の使用性を向上させ、中洋室にプライバシー保持などの適度の個室感と使用の独立性を付与し、さらに、中洋室に連続するリビング・ダイニング室内における家具の配置多様性も向上させるようにする。【解決手段】中洋室１９とリビング・ダイニング室１７の床面がフローリングＦで連続しているマンションタイプの集合住宅の採光構造において、リビング・ダイニング室１７の窓面に向いて壁体２１が区画構成される。壁体２１には透光性部材２３よりなる窓２５が設けられる。窓２５は、少なくとも下半部と上半部とで構成され、下半部が固定窓４７で、上半部が開閉自在な開閉窓４９とされる。開閉窓４９は、水平方向の回転軸回りに回転自在な回転窓とされる。【選択図】  図２
0003208117.tif 000002
【実用新案登録請求の範囲】
【請求項１】
中洋室とリビング・ダイニング室またはリビング・ダイニング・キッチン室との床面がフローリングで連続しているマンションタイプの集合住宅の採光構造において、
前記リビング・ダイニング室または前記リビング・ダイニング・キッチン室の窓面に向いて壁体が区画構成され、
前記壁体には透光性部材よりなる窓が設けられ、
前記窓は、少なくとも下半部と上半部とで構成され、前記下半部が固定窓で、前記上半部が開閉自在な開閉窓とされ、
前記開閉窓は、水平方向の回転軸回りに回転自在な回転窓とされることを特徴とする集合住宅の採光構造。
【請求項２】
請求項１記載の集合住宅の採光構造であって、
前記透光性部材は、フロスト加工を施した樹脂製であることを特徴とする集合住宅の採光構造。
【請求項３】
請求項１または２記載の集合住宅の採光構造であって、
前記回転軸が、トルクヒンジであることを特徴とする集合住宅の採光構造。
【請求項４】
請求項１〜３のいずれか１つに記載の集合住宅の採光構造であって、
前記窓の内側に、開閉自在な遮光部材が設けられることを特徴とする集合住宅の採光構造。
【請求項５】
請求項１〜４のいずれか１つに記載の集合住宅の採光構造であって、
前記壁体の延在部に吊り引戸を具備して設けられ、該吊り引戸の閉鎖により前記壁体とともに中洋室内方を区画する建具を備えることを特徴とする集合住宅の採光構造。
【考案の詳細な説明】
【技術分野】
【０００１】
本考案は、洋室としての中洋室と、洋室としてのリビング・ダイニング室とが床方向に連続して設けられているマンションタイプの集合住宅の採光構造に関する。
本考案に係る集合住宅の採光構造が適応されるマンションは、高層マンションのみならず、エレベーターの無い２、３階建ての低層マンションにも適応される。
【背景技術】
【０００２】
マンションなどで居室内を壁で区画して部屋を構成しようとする場合、窓がなく採光などの基準、通風等の要件を満たせないと「居室」とはできず「納戸」、「サービスルーム」などの表示となる。
【０００３】
下記特許文献１又は２に示されるように、３ＬＤＫ又は４ＬＤＫなどのマンション内の居住空間には、洋室としてのリビング・ダイニング室に連続する和室としての中和室が設けられているものがある。中和室をリビング・ダイニング室に連続させて設け、さらに開口部を広げることで、居室としての条件である採光をみたす目的がある。中和室は、居住空間に異なる安らぎを与え、また、乳幼児用の室としても安全性などの上で有効である。
【０００４】
ところが、従来の上記中和室は、洋室としてのリビング・ダイニング室と床方向に略連続しており、中和室としての使用の独立性に問題がある。また、広い開口部は、リビング・ダイニング室側からも中和室からも家具の配置自由度を低下させる。
【先行技術文献】
【特許文献】
【０００５】
【特許文献１】実用新案登録第３１７３３５０号公報
【特許文献２】特開２００６−９００９６号公報
【考案の概要】
【考案が解決しようとする課題】
【０００６】
本考案は、上記の点に鑑み、洋室としてのリビング・ダイニング室と、洋室としての中洋室とが床方向に連続して設けられているマンションタイプの集合住宅の採光構造において、居室としての中洋室の使用性を向上させ、中洋室にプライバシー保持などの適度の個室感と使用の独立性を付与し、さらに、中洋室に連続するリビング・ダイニング室内における家具の配置多様性も向上させるようにしたことを目的としている。
【課題を解決するための手段】
【０００７】
次に、上記の課題を解決するための手段を、実施の形態に対応する図面を参照して説明する。
本考案の請求項１記載の集合住宅の採光構造は、中洋室１９とリビング・ダイニング室１７またはリビング・ダイニング・キッチン室との床面がフローリングＦで連続しているマンションタイプの集合住宅の採光構造において、
前記リビング・ダイニング室１７または前記リビング・ダイニング・キッチン室の窓面１６に向いて壁体２１が区画構成され、
前記壁体２１には透光性部材２３よりなる窓２５が設けられ、
前記窓２５は、少なくとも下半部と上半部とで構成され、前記下半部が固定窓４７で、前記上半部が開閉自在な開閉窓とされ、
前記開閉窓は、水平方向の回転軸５３回りに回転自在な回転窓４９とされることを特徴とする。
【０００８】
この集合住宅の採光構造では、開閉自在な窓２５をリビング・ダイニング室１７側の壁体２１に設けたので、リビング・ダイニング室１７側からの採光が可能であり、また通風も可能となる。従って、中洋室１９が、バルコニー１５から離れ、リビングの奥に配置されているレイアウトであっても、二室採光と同様になる。窓２５の下部となる壁体２１に沿って、リビング・ダイニング室１７側で家具２９、例えばソファやチェストなどを配置可能とし、レイアウトの自由度が増す。また、窓２５の下半部が固定窓４７であるので、壁体２１を挟んで双方に人がいてもぶつかることがなく、また開放できないことで、区画となり、プライバシーの確保が可能となる。さらに上半部の回転窓４９を開放可能とすることで、通風が可能となり、中洋室１９内の空気がこもることがない。
【０００９】
本考案の請求項２記載の集合住宅の採光構造は、請求項１記載の集合住宅の採光構造であって、
前記透光性部材２３は、フロスト加工を施した樹脂製であることを特徴とする。
【００１０】
この集合住宅の採光構造では、中洋室１９へ取り入れる光を柔らかなものとすることができる。また、素通しではないことからお互いの視線を避けることもできる。
【００１１】
本考案の請求項３記載の集合住宅の採光構造は、請求項１または２記載の集合住宅の採光構造であって、
前記回転軸が、トルクヒンジ５３であることを特徴とする。
【００１２】
この集合住宅の採光構造では、トルクヒンジ５３によって回転窓４９の開閉角度を任意の角度位置に設定でき、通風の度合いを任意なものとすることが可能となる。
【００１３】
本考案の請求項４記載の集合住宅の採光構造は、請求項１〜３のいずれか１つに記載の集合住宅の採光構造であって、
前記窓２５の内側に、開閉自在な遮光部材が設けられることを特徴とする。
【００１４】
この集合住宅の採光構造では、リビング側からの光、例えば自然光や電灯光を中洋室１９内に入れたくないとき、或いは中洋室１９の照明光をリビング側に漏らさないように、遮光部材を閉鎖し窓２５を覆うことで簡便に遮光ができる。
【００１５】
本考案の請求項５記載の集合住宅の採光構造は、請求項１〜４のいずれか１つに記載の集合住宅の採光構造であって、
前記壁体２１の延在部に吊り引戸４３を具備して設けられ、該吊り引戸４３の閉鎖により前記壁体２１とともに中洋室１９内方を区画する建具４５を備えることを特徴とする。
【００１６】
この集合住宅の採光構造では、吊り引戸４３を閉めれば、四方が囲まれる部屋として中洋室１９を区画できる。吊り引戸４３を開け放てば、中洋室１５を、リビング・ダイニング室１７に続く開放的な空間とすることができる。
【考案の効果】
【００１７】
本考案に係る請求項１記載の集合住宅の採光構造によれば、採光の可能な部屋をリビング奥方に中洋室として作ることができる。すなわち、リビング・ダイニング室と別に居室である部屋を構成できる。また、開閉自在な窓を設けることにより通風可能にできる。さらに、壁体の下部である窓の下方に、リビング側及び中洋室側に壁面に沿って家具を配置することができ、家具配置の自由度を増やすことができる。
【００１８】
本考案に係る請求項２記載の集合住宅の採光構造によれば、素通しの透明素材ではなくすりがらす状のフロスト加工を施した透光性部材としたので、中洋室における個室感、独立性を有することによりプライバシー確保が可能となる。
【００１９】
本考案に係る請求項３記載の集合住宅の採光構造によれば、トルクヒンジよりなる回転軸の回転窓としたので、所望の角度で止めることが可能となり、最適な通風量に容易に調整できる。
【００２０】
本考案に係る請求項４記載の集合住宅の採光構造によれば、リビング側からの例えば自然光や電灯光などの光を中洋室内に入れたくないとき、或いは中洋室の照明光をリビング側に漏らさないようにするときに、遮光部材を閉鎖し窓を覆うことで簡便に遮光ができる。
【００２１】
本考案に係る請求項５記載の集合住宅の採光構造によれば、リビング室・ダイニング室またはリビング・ダイニング・キッチンとの一体性、及び適度な個室感を、吊り引戸の開閉で中洋室に付与し、リビング・ダイニング室またはリビング・ダイニング・キッチン室全体の居住性を向上させることができる。
【図面の簡単な説明】
【００２２】
【図１】本考案にかかる集合住宅の採光構造の一実施形態の平面図である。
【図２】図１に示したリビングの奥に配置される中洋室をバルコニー側から見た斜視図である。
【図３】図２に示した窓の正面図である。
【図４】図３のＡ−Ａ断面図である。
【図５】（ａ）は図３のＢ−Ｂ断面図、（ｂ）は図３のＣ−Ｃ断面図である。
【図６】図３のＤ−Ｄ断面図である。
【図７】図６の回転窓が回転されて窓が通風可能となった壁体の断面図である。
【考案を実施するための形態】
【００２３】
以下、本考案に係る実施形態を図面を参照して説明する。
図１は、本考案の１実施形態に係るマンションの一住戸１１の部屋構造を示している。この部屋構造は、矩形の平面形状を有し、左右両外壁の間に、この実施例では、４ＬＤＫタイプの部屋割を有している。
【００２４】
この、一住戸１１の間取りとしての部屋構造は、玄関１３とバルコニー１５を有し、バルコニー１５に面してフローリングＦのリビング・ダイニング室１７を有している。リビング・ダイニング室１７の内側の一側には、リビング・ダイニング室１７と床方向に連続して中洋室１９が設けられている。中洋室１９は、四角形状のフローリングＦを原則とし、部屋構造内の略中間部において、一方の壁面に沿って設けられている。なお、リビング・ダイニング室１７は、リビング・ダイニング・キッチン室とされても勿論よい。
【００２５】
図２は図１に示したリビングの奥に配置される中洋室１９をバルコニー１５側から見た斜視図である。
リビング・ダイニング室１７と中洋室１９との境界部は、一方の壁面から略中央に向かう壁体２１によって仕切られている。つまり、リビング・ダイニング室１７の窓面１６に向いて、この窓面１６と平行に位置する壁体２１が区画構成されている。壁体２１は、床面から天井面までの例えば高さ２４００ｍｍの間に構成され、壁体２１の略中央には、透光性部材２３よりなる窓２５が設けられている。
【００２６】
壁体２１は、窓２５の下方が、床面Ｆからの立ち上がり壁２７となる。立ち上がり壁２７は、成人がソファやイスに座った状態で、リビング・ダイニング室１７内を見通せる、例えば６０〜９０ｃｍ程度の高さとされている。これにより、リビング・ダイニング室１７において、立ち上がり壁２７に沿ってソファなどの家具２９を配置できる。
【００２７】
その他、この実施例では、左右両外壁の中間部に、玄関１３が設けられ、玄関内の左右には、一側及び他側の洋室３１、洋室３３が設けられている。一側の洋室３１に連続して、一住戸１１の部屋構造の内部の中間部には、上記の中洋室１９が設けられている。他側の洋室３３に連続して、中洋室１９と対向する他側には、トイレ３５、浴室３７、化粧室３９、キッチン室４１が設けられている。キッチン室４１と対面する中洋室１９の境界部は、吊り引戸４３を備える建具４５が設けられる。
【００２８】
建具４５は、壁体２１の延在部、本実施形態では壁体２１からＬ字状に延び、キッチン室４１と略対面する壁部２２に複数枚の吊り引戸４３で構成されている。吊り引戸４３が閉鎖されることで、吊り引戸４３と壁体２１とが隅部を構成し、リビング・ダイニング室１７とは床面が連続して中洋室１９の内方が区画される。
【００２９】
中洋室１９は、リビング・ダイニング室１７と連続する一側が上記の立ち上がり壁２７を具備する壁体２１によって区画され、壁体２１とＬ形に連続しキッチン室４１側と対面する境界部分は、建具４５が配置され、上記の吊り引戸４３により開閉自在とされる。この中洋室１９の建具４５は、一方の壁面に面し、この一方の壁面と平行に位置する。
【００３０】
中洋室１９は、吊り引戸４３を開閉することにより、洋室としての適度の個室感と解放感が得られる。中洋室１９には、吊り引戸４３を閉鎖した状態でも、リビング・ダイニング室１７からの光が窓２５を通して常時透光される。
【００３１】
図３は図２に示した窓２５の正面図、図４は図３のＡ−Ａ断面図である。
窓２５は、少なくとも下半部と上半部とで構成されている。本構成例では、図４に示すように、窓２５は、左半部と右半部を有し４つで構成され、上半部は開閉自在な開閉窓４９、下半部は固定窓４７とされるとともに、壁体２１に設けられた略田字状に枠組みされた窓枠部５１とで構成される。これら固定窓４７と開閉窓４９は、それぞれ略同じ大きさに構成され、例えば、高さ４５０ｍｍ、幅９００ｍｍの方形とされる。これら固定窓４７と開閉窓４９は透光性部材２３を備える。透光性部材２３は、透明や半透明であり、半透明としては、例えばフロスト加工、タペストリー加工等の擦りガラス状のものとされる。透光性部材２３は、樹脂製、例えばポリカーボネートとすることができる。透光性部材２３を半透明とすることで、その表裏方向で光を透しつつ、視線を遮り、また透光性部材２３を透明とすることで見通しの良い窓とすることができ、リビング・ダイニング室１７から中洋室１９内の様子がよく見え、リビング・ダイニング室１７から空間の広がりを感じることができて、中洋室１９内の子どもの様子などもよく見ることができる。なお、固定窓４７と開閉窓４９のそれぞれを全て同じ透光性の素材として構成してもよく、それぞれを異なる透光性で構成する、例えば固定窓４７を半透明とし開閉窓４９を透明にするなど組み合わせて構成させても良い。透光性部材２３は、図４に示すように、押し縁２６により両面の周縁が枠材に固定される。
【００３２】
窓２５は、透光性部材２３を樹脂製としたことで、軽量化が図れる。軽量化により、後述の開閉窓４９の金具の選択自由度が高められる。なお、透光性部材２３は、窓２５の面積が小さい構成であれば、すなわち固定窓４７、開閉窓４９のそれぞれが小型に構成されて、窓枠部５１に対して多数で構成されるような場合には、１つ１つの重量を小さく設定できることから、透光性部材２３をガラスで構成することとしてもよい。この場合、飛散防止フィルムなどを貼着するとなおよい。
【００３３】
図５（ａ）は図３のＢ−Ｂ断面図、（ｂ）は図３のＣ−Ｃ断面図である。
窓２５の下半部を構成する固定窓４７は、窓枠部５１に対して固定される所謂ＦＩＸ窓であるが、窓枠部５１に対しての固定構造として、ケンドン式としても良く、窓枠部５１に上下で対向する凹溝を形成し、これに嵌め込み取り付ける構成としても良い。ケンドン式とすることで、通常使用時にはＦＩＸ窓と同様に取り外す或いは開閉するなどは無いが、透光性部材２３の破損時など交換が必要な際には、固定窓４７を窓枠部５１から取り外すことが可能となり、新たな固定窓４７を嵌め込むことが可能となる。
窓２５の上半部を構成する開閉窓４９は、水平方向の回転軸回りに回転自在な回転窓とされる。
【００３４】
図６は図３のＤ−Ｄ断面図、図７は図６の回転窓４９が回転されて通風可能となった壁体２１の断面図である。
回転窓４９は、左右端に上下方向略中央の位置に回転軸を備え、窓枠部５１側に固定される軸受５４に装着される。回転軸は、例えばトルクヒンジ５３よりなり、所望の角度で回転窓４９の角度を止められる。本構成例では、垂直な閉鎖位置と水平な開放位置の９０°の範囲で回転が可能となる。また、回転窓４９の上縁４９ａ側に沿う窓枠部５１のリビング・ダイニング室１７側には、回転窓４９の回転を規制するストッパー５０が設けられる。このストッパー５０によって、回転窓４９が垂直な閉鎖状態を維持可能となる。なお、開閉窓４９は、他の例として、下縁に軸を備える開閉窓、所謂内倒し窓などであってもよい。
【００３５】
回転窓４９の開閉は、中洋室１９内側から行う。回転窓４９は、上縁４９ａ側が中洋室１９内方向に傾く。上縁部４９ａには、中洋室１９の面に摘み５５が設けられる。この摘み５５は、子供の手の届かない高さが好ましい。例えば床から１８０ｃｍ程度とする。摘み５５は、下縁２５ｂ側に取り付けられてもよい。ただし、中洋室１９のための窓２５なので、摘み５５は中洋室１９内側とする。なお、摘み５５にラッチ機構などを設け、回転窓４９が閉鎖状態を保てるような構成を設けることとしても良い。中洋室１９は、窓２５があることで、リビング・ダイニング室１７側から中洋室１９内の様子を伺うことが可能となる。
【００３６】
また、中洋室１９は、窓２５の内側に、開閉自在な遮光部材（図示せず）が設けられることとしても良い。遮光部材は、中洋室１９側からの固定構造とされ、ロールスクリーンなどの遮光素材よりなる部材が取り付け可能である。上記壁体２１には、少なくとも窓枠部５１の周囲に位置して下地があることから、例えば窓部２５の上縁に沿う壁体２１面にロールスクリーンやブラインド等の固定が可能となる。
【００３７】
次に、上記した構成の作用を説明する。
本実施形態に係る集合住宅の採光構造では、リビング側の壁体２１に開閉自在な回転窓４９を具備する窓２５を設けたので、リビング側からの採光が可能であり、また通風も可能となる。従って、中洋室１９が、バルコニー１５から離れ、窓面１６から見てリビング・ダイニング室１７の奥に配置されているレイアウト（間取り）であっても、二室採光と同様になる。
壁体２１は、窓２５の下部が立ち上がり壁２７となるので、リビング側で家具２９、例えばソファやチェストなどを壁体２１に沿って配置可能とし、レイアウトの自由度が増す。従来の構造では、リビング・ダイニング室１７に臨む部分が引戸や開口であったため、家具２９の配置に制限ができてしまうが、本構成例では壁体２１が立ち上がっているので、家具２９が配置可能となり、レイアウトの自由度が増す。
また、窓２５は、下半部が固定窓４７であるので、壁体２１を挟んで双方に人がいても窓面がぶつかることがなく、また開放できないことで、プライバシーの確保が可能となる。
また、窓２５は、上半部を開放可能な回転窓４９とすることで、通風が可能となり、中洋室１９内の空気がこもることがない。
【００３８】
この集合住宅の採光構造では、窓２５の透光性部材２３をフロスト加工とすることにより取り入れる光を柔らかなものとすることができる。また、素通しでないことからお互いの視線を避けることもできる。その結果、中洋室１９の個室感、独立性を有することによりプライバシー確保が可能となる。
【００３９】
また、この集合住宅の採光構造では、回転窓４９の開閉角度を任意の位置に設定でき、通風の度合いを任意なものとすることが可能となる。その結果、最適な通風量に容易に調整できる。
【００４０】
そして、この集合住宅の採光構造では、窓２５に遮光部材を備えることにより、リビング側からの光、例えば自然光や電灯光を中洋室１９に入れたくないときに、或いは、リビング側へ中洋室１９の電灯光を漏らしたくないときに簡便に遮光ができる。その結果、中洋室１９を、プライバシーの保護を確実に保て、さらには簡便にリビング室と独立した暗室にもできる。
【００４１】
さらに、この集合住宅の採光構造では、吊り引戸４３を閉めれば、四方が囲まれる部屋として中洋室１９を区画できる。また、吊り引戸４３を開け放てば、中洋室１９を、リビングに続く開放的な空間、キッチン室４１と連続する空間とすることができる。その結果、リビング・ダイニング室１７との一体性、キッチン室４１から中洋室１９内の様子を窺うことを可能とする解放感、及び適度な個室感を中洋室１９に付与し、リビング・ダイニング室１７とともに全体の居住性を向上させることができる。
【００４２】
従って、本実施形態に係る集合住宅の採光構造によれば、窓２５により採光可能な部屋をリビング奥方に中洋室１９として作ることができる。すなわち、リビング室と別に独立可能な部屋、すなわち建築基準法上の「居室」を構成できる。また、開閉自在な回転窓を備える窓２５を設けることにより通風可能にできる。さらに、壁体２１の下部に沿って家具２９を配置でき、リビング・ダイニング室１７における家具配置の自由度を増やすことができる。
【符号の説明】
【００４３】
１７…リビング・ダイニング室
１９…中洋室
２１…壁体
２３…透光性部材
２５…窓
４３…吊り引戸
４５…建具
４７…固定窓
４９…開閉窓（回転窓）
５３…回転軸（トルクヒンジ）
Ｆ…フローリング
【図１】
0003208117.tif 000003
【図２】
0003208117.tif 000004
【図３】
0003208117.tif 000005
【図４】
0003208117.tif 000006
【図５】
0003208117.tif 000007
【図６】
0003208117.tif 000008
【図７】
0003208117.tif 000009